(57)【要約】      （修正有）【課題】複数台の主装置がネットワークを介して接続されているボタン電話システムにおいて、新たに主装置を増設する際に、増設する主装置に関する情報の手動による設定作業を不要にする。【解決手段】増設されたボタン電話主装置の制御部は、ネットワークに接続されると、新規加入メッセージを既設の他のすべてのボタン電話主装置へネットワーク経由で一斉送信する。前記新規加入メッセージを受信した既設の他のすべてのボタン電話主装置の制御部は、自ボタン電話主装置に接続された外線及び内線端末の番号を含む情報を、前記増設されたボタン電話主装置にネットワーク経由で返信する。前記外線及び内線端末の番号を含む情報を受信した前記増設されたボタン電話主装置の制御部は、受信した外線及び内線端末の番号と重複しないように、自ボタン電話主装置に接続された外線及び内線端末に番号を自動的に生成、付与する。【選択図】図１
2014230182.tif 000002
【特許請求の範囲】
【請求項１】
複数台のボタン電話主装置を、ネットワークを介して接続し、全体として１つの交換システムとして機能するボタン電話システムにおいて、
前記ボタン電話主装置は、制御部、記憶部を具備し、
ボタン電話主装置を増設する場合、増設されたボタン電話主装置の制御部は、前記ネットワークに接続されると、新規加入メッセージを既設の他のすべてのボタン電話主装置へネットワーク経由で一斉送信し、
前記新規加入メッセージを受信した既設の他のすべてのボタン電話主装置の制御部は、自ボタン電話主装置に接続された外線及び内線端末の番号を含む情報を、前記増設されたボタン電話主装置にネットワーク経由で返信し、
前記外線及び内線端末の番号を含む情報を受信した前記増設されたボタン電話主装置の制御部は、受信した外線及び内線端末の番号と重複しないように、自ボタン電話主装置に接続された外線及び内線端末に番号を生成、付与することによって、増設されたボタン電話主装置のセットアップを自動的に行うボタン電話システム。
【請求項２】
前記増設されたボタン電話主装置の制御部は、前記生成、付与した前記外線及び内線端末の番号を含む情報を、前記既設の他のすべてのボタン電話主装置へネットワーク経由で一斉送信し、
前記生成、付与された外線及び内線端末の番号を含む情報を受信した前記既設の他のすべてのボタン電話主装置の制御部は、受信した前記生成、付与された外線及び内線端末の番号を含む情報を前記記憶部に記憶することを特徴とする請求項１に記載のボタン電話システム。
【請求項３】
前記複数台のボタン電話主装置のうちのあるボタン電話主装置が撤去された場合、残りのボタン電話主装置の制御部は、前記あるボタン電話主装置の内線端末への発信に対する応答が無いことをもって前記あるボタン電話主装置が撤去されているものと判断し、前記あるボタン電話主装置に関する、前記外線及び内線端末の番号を含む情報を記憶部から削除することを特徴とする請求項２に記載のボタン電話システム。
【請求項４】
前記残りのボタン電話主装置の制御部は、前記あるボタン電話主装置の内線端末への発信に対する応答が無いと、前記あるボタン電話主装置に対して存在確認メッセージを送信し、該存在確認メッセージに対する応答が所定時間無いと、前記あるボタン電話主装置が撤去されているものと判断することを特徴とする請求項３に記載のボタン電話システム。
【請求項５】
複数台のボタン電話主装置を、ネットワークを介して接続し、全体として１つの交換システムとして機能するボタン電話システムにおいて、
前記ボタン電話主装置は、制御部、記憶部を具備すると共に、外線及び内線端末が接続されており、
前記記憶部には、当該記憶部の属するボタン電話主装置に接続されている外線及び内線端末の番号を含む情報を記憶しており、
前記複数台のボタン電話主装置のうちのあるボタン電話主装置が撤去された場合、残りのボタン電話主装置の制御部は、前記あるボタン電話主装置の内線端末への発信に対する応答が無いことをもって前記あるボタン電話主装置が撤去されているものと判断し、前記あるボタン電話主装置に関する、前記外線及び内線端末の番号を含む情報を記憶部から削除することを特徴とするボタン電話システム。
【請求項６】
前記残りのボタン電話主装置の制御部は、前記あるボタン電話主装置の内線端末への発信に対する応答が無いと、前記あるボタン電話主装置に対して存在確認メッセージを送信し、該存在確認メッセージに対する応答が所定時間無いと、前記あるボタン電話主装置が撤去されているものと判断することを特徴とする請求項５に記載のボタン電話システム。
【請求項７】
複数台のボタン電話主装置を、ネットワークを介して接続し、全体として１つの交換システムとして機能するボタン電話システムにボタン電話主装置を増設する方法であって、
ボタン電話主装置の増設に際し、増設されたボタン電話主装置は、前記ネットワークに接続されると、新規加入メッセージを既設の他のすべてのボタン電話主装置へネットワーク経由で一斉送信し、
前記新規加入メッセージを受信した既設の他のすべてのボタン電話主装置は、自ボタン電話主装置に接続された外線及び内線端末の番号を含む情報を、前記増設されたボタン電話主装置にネットワーク経由で返信し、
前記外線及び内線端末の番号を含む情報を受信した前記増設されたボタン電話主装置は、受信した外線及び内線端末の番号と重複しないように、自ボタン電話主装置に接続された外線及び内線端末に番号を生成、付与することによって、増設されたボタン電話主装置のセットアップを自動的に行うボタン電話主装置の増設方法。
【請求項８】
前記増設されたボタン電話主装置は、前記生成、付与した前記外線及び内線端末の番号を含む情報を、前記既設の他のすべてのボタン電話主装置へネットワーク経由で一斉送信し、
前記生成、付与された外線及び内線端末の番号を含む情報を受信した前記既設の他のすべてのボタン電話主装置は、受信した前記生成、付与された外線及び内線端末の番号を含む情報を記憶部に記憶することを特徴とする請求項７に記載のボタン電話主装置の増設方法。
【請求項９】
複数台のボタン電話主装置を、ネットワークを介して接続し、全体として１つの交換システムとして機能するボタン電話システムからボタン電話主装置を撤去する方法であって、
前記ボタン電話主装置は、記憶部を具備すると共に、外線及び内線端末が接続されており、
前記記憶部には、当該記憶部の属するボタン電話主装置に接続されている外線及び内線端末の番号を含む情報を記憶しており、
前記複数台のボタン電話主装置のうちのあるボタン電話主装置が撤去された場合、残りのボタン電話主装置は、前記あるボタン電話主装置の内線端末への発信に対する応答が無いことをもって前記あるボタン電話主装置が撤去されているものと判断し、前記あるボタン電話主装置に関する、前記外線及び内線端末の番号を含む情報を記憶部から削除することを特徴とするボタン電話主装置の撤去方法。
【請求項１０】
前記残りのボタン電話主装置は、前記あるボタン電話主装置の内線端末への発信に対する応答が無いと、前記あるボタン電話主装置に対して存在確認メッセージを送信し、該存在確認メッセージに対する応答が所定時間無いと、前記あるボタン電話主装置が撤去されているものと判断することを特徴とする請求項９に記載のボタン電話主装置の撤去方法。
【発明の詳細な説明】
【技術分野】
【０００１】
本発明はボタン電話システム及びボタン電話主装置のネットワークへの増設方法、更にはボタン電話主装置のネットワークからの撤去方法に関する。
【背景技術】
【０００２】
特許文献１には、内線番号の割り当てを自動的に行い、電話機の設置場所の違いによる内線番号のばらつきを無くすことができるようにしたＬＡＮ（Local Area Network）接続式ボタン電話システムが開示されている。
【０００３】
また、特許文献２には、ＬＡＮに接続されたＩＰ（Internet Protocol）電話機の詳細設定を自動で行うＩＰ電話機自動設定システムが開示されている。
【０００４】
しかしながら、例えば複数台のボタン電話主装置（以下、主装置と略称することがある）がＩＰネットワークを介して接続されているようなボタン電話システムにおいては、主装置を増設する場合、増設する主装置の回線番号やＩＰアドレスを手動で設定する作業が必要であった。逆に、上記ボタン電話システムから既設のある主装置を撤去する場合には、残っている主装置に、撤去された主装置に関する情報が残らないように、その情報を、残っている主装置から手動で削除する作業が必要であった。
【先行技術文献】
【特許文献】
【０００５】
【特許文献１】特開２００２−３１５０２９号公報
【特許文献２】特開２００６−３３９８０３号公報
【発明の概要】
【発明が解決しようとする課題】
【０００６】
そこで、本発明の企図するところは、複数台の主装置がネットワークを介して接続されているボタン電話システムにおいて、新たに主装置を増設する際に、増設する主装置に関する情報の手動による設定作業を不要にすることにある。
【０００７】
本発明はまた、上記ボタン電話システムにおいて、既設の主装置をネットワークから撤去する際に、撤去する主装置に関する情報の手動でのリセットや設定変更を不要にすることを企図する。
【課題を解決するための手段】
【０００８】
本発明によれば、複数台のボタン電話主装置を、ネットワークを介して接続し、全体として１つの交換システムとして機能するボタン電話システムにおいて、
前記ボタン電話主装置は、制御部、記憶部を具備し、
ボタン電話主装置を増設する場合、増設されたボタン電話主装置の制御部は、前記ネットワークに接続されると、新規加入メッセージを既設の他のすべてのボタン電話主装置へネットワーク経由で一斉送信し、
前記新規加入メッセージを受信した既設の他のすべてのボタン電話主装置の制御部は、自ボタン電話主装置に接続された外線及び内線端末の番号を含む情報を、前記増設されたボタン電話主装置にネットワーク経由で返信し、
前記外線及び内線端末の番号を含む情報を受信した前記増設されたボタン電話主装置の制御部は、受信した外線及び内線端末の番号と重複しないように、自ボタン電話主装置に接続された外線及び内線端末に番号を生成、付与することによって、増設されたボタン電話主装置のセットアップを自動的に行うボタン電話システムが提供される。
【０００９】
本発明によればまた、複数台のボタン電話主装置を、ネットワークを介して接続し、全体として１つの交換システムとして機能するボタン電話システムにおいて、
前記ボタン電話主装置は、制御部、記憶部を具備すると共に、外線及び内線端末が接続されており、
前記記憶部には、当該記憶部の属するボタン電話主装置に接続されている外線及び内線端末の番号を含む情報を記憶しており、
前記複数台のボタン電話主装置のうちのあるボタン電話主装置が撤去された場合、残りのボタン電話主装置の制御部は、前記あるボタン電話主装置の内線端末への発信に対する応答が無いことをもって前記あるボタン電話主装置が撤去されているものと判断し、前記あるボタン電話主装置に関する、前記外線及び内線端末の番号を含む情報を記憶部から削除することを特徴とするボタン電話システムが提供される。
【００１０】
本発明によるボタン電話主装置の増設方法においては、複数台のボタン電話主装置がネットワーク経由で接続されているボタン電話システムに新規のボタン電話主装置が追加接続されると、その存在の確認を既設のボタン電話主装置と新規のボタン電話主装置との間で自動にてやり取りし、新規のボタン電話主装置と既設のボタン電話主装置の間で回線番号を共有するようにされる。
【００１１】
具体的には、本発明によれば、複数台のボタン電話主装置を、ネットワークを介して接続し、全体として１つの交換システムとして機能するボタン電話システムにボタン電話主装置を増設する方法であって、
ボタン電話主装置の増設に際し、増設されたボタン電話主装置は、前記ネットワークに接続されると、新規加入メッセージを既設の他のすべてのボタン電話主装置へネットワーク経由で一斉送信し、
前記新規加入メッセージを受信した既設の他のすべてのボタン電話主装置は、自ボタン電話主装置に接続された外線及び内線端末の番号を含む情報を、前記増設されたボタン電話主装置にネットワーク経由で返信し、
前記外線及び内線端末の番号を含む情報を受信した前記増設されたボタン電話主装置は、受信した外線及び内線端末の番号と重複しないように、自ボタン電話主装置に接続された外線及び内線端末に番号を生成、付与することによって、増設されたボタン電話主装置のセットアップを自動的に行うボタン電話主装置の増設方法が提供される。
【００１２】
また、本発明によるボタン電話主装置の撤去方法においては、既設のボタン電話主装置が撤去された場合は、残りのボタン電話主装置が、アクセスに対するレスポンスが無いことをトリガーにして、撤去されたボタン電話主装置に関する回線番号等の情報を消去する。
【００１３】
具体的には、本発明によれば、複数台のボタン電話主装置を、ネットワークを介して接続し、全体として１つの交換システムとして機能するボタン電話システムからボタン電話主装置を撤去する方法であって、
前記ボタン電話主装置は、記憶部を具備すると共に、外線及び内線端末が接続されており、
前記記憶部には、当該記憶部の属するボタン電話主装置に接続されている外線及び内線端末の番号を含む情報を記憶しており、
前記複数台のボタン電話主装置のうちのあるボタン電話主装置が撤去された場合、残りのボタン電話主装置は、前記あるボタン電話主装置の内線端末への発信に対する応答が無いことをもって前記あるボタン電話主装置が撤去されているものと判断し、前記あるボタン電話主装置に関する、前記外線及び内線端末の番号を含む情報を記憶部から削除することを特徴とするボタン電話主装置の撤去方法が提供される。
【発明の効果】
【００１４】
本発明によれば、ボタン電話主装置を既設のネットワークに増設する場合、ボタン電話主装置をネットワークに接続するだけで良く、特に手動での増設設定作業をすることなしに増設することができる。
【００１５】
本発明によればまた、ネットワークから既設のボタン電話主装置を撤去する場合、ボタン電話主装置をネットワークから撤去するだけで良く、特に、残っているボタン電話主装置からの手動での情報削除作業をすることなしに、撤去されたボタン電話主装置に関する情報を削除することができる。
【図面の簡単な説明】
【００１６】
【図１】本発明が適用されるボタン電話システムの構成例を示した図である。
【図２】本発明の実施形態によるボタン電話主装置の増設方法を説明するための図である。
【図３】図２に続くボタン電話主装置の増設方法を説明するための図である。
【図４】図３に続くボタン電話主装置の増設方法を説明するための図である。
【図５】本発明の実施形態によるボタン電話主装置の増設方法において増設されたボタン電話主装置において作成される回線番号の例を示した図である。
【図６】本発明の実施形態によるボタン電話主装置の撤去方法を説明するための図である。
【図７】図６に続くボタン電話主装置の撤去方法を説明するための図である。
【図８】図７に続くボタン電話主装置の撤去方法を説明するための図である。
【発明を実施するための形態】
【００１７】
以下に、本発明の実施形態について説明する。
【００１８】
［実施形態の構成］
図１には、本発明によるボタン電話主装置（以下、主装置と略称する）の増設方法及び撤去方法が実施される最小限の構成を示している。すなわち、ここでは、３台の主装置Ａ，Ｂ，ＣがＩＰネットワークのようなネットワーク１を介して接続されているボタン電話システムを示している。
【００１９】
図１を参照して、各構成要素について説明する。
【００２０】
主装置Ａは、ＣＰＵ（Central Processing Unit）による制御部Ａ−１、記憶装置Ａ−２、ＶｏＩＰ（Voice over Internet Protocol）インターフェイスＡ−３、１台以上の端末（内線端末）Ａ−４、外線Ａ−５で構成される。制御部Ａ−１は、記憶装置Ａ−２又は図示しない別の記憶装置にあらかじめ記憶されている制御プログラムを読み出し、読み出した制御プログラムに基づいて以下に述べる制御動作を含む各種動作を実行する。
【００２１】
制御部Ａ−１は端末Ａ−４及び外線Ａ−５を管理するために、端末Ａ−４、外線Ａ−５に番号を付与している。以下ではこれを回線番号と称する。勿論、端末と外線の番号は重複しない。番号の付与方法は後述する。
【００２２】
主装置Ｂ、主装置Ｃも主装置Ａと同様な内部構成を具備している。
【００２３】
［実施形態の動作］
以下に、本発明による主装置の増設方法の実施形態について説明する。以下では、本発明による主装置の増設方法の実施形態を実現するために必要な特徴部分のみを説明するものとし、それ以外の部分については周知技術が適用される。
【００２４】
１）図２〜図４を参照して、主装置Ａと主装置Ｂがネットワーク１に接続された既設のボタン電話システムに主装置Ｃを増設する場合について説明する。以下では、説明の便宜上、主装置Ｃを構成している制御部をＣ−１、記憶装置をＣ−２、接続している１台以上の端末を端末Ｃ−４、外線を外線Ｃ−５（いずれも図示省略）と呼ぶことがある。
【００２５】
主装置Ｃはボタン電話システムのネットワーク１に接続されると、既設の主装置Ａ、Ｂのすべてに新規加入メッセージを一斉送信する（図２）。
【００２６】
一斉送信された新規加入メッセージは、すべての主装置、ここでは主装置Ａ、Ｂで受信される。新規加入メッセージを受信した主装置Ａ及び主装置Ｂは、主装置Ａについて言えば、その返信として自身のＩＰアドレスと自身が接続している端末Ａ−４及び外線Ａ−５の回線番号をレスポンスとして主装置Ｃに送信する（図３）。主装置Ｂも同様である。
【００２７】
主装置Ｃは、受信した主装置Ａ及び主装置ＢのＩＰアドレス及び回線番号を自身の記憶装置Ｃ−２に保存する。また、主装置Ｃは主装置Ａ及び主装置Ｂと重複しない回線番号を自身に接続されている端末Ｃ−４及び外線Ｃ−５に対し自動で付与する。
【００２８】
付与した回線番号を記憶装置Ｃ−２に保存した後、主装置Ｃは主装置Ａ及び主装置Ｂに対して自身のＩＰアドレス及び回線番号を主装置Ａ、Ｂのすべてにメッセージとして送信する（図４）。
【００２９】
主装置Ａ及び主装置Ｂは主装置ＣからのＩＰアドレス及び回線番号を記憶装置に保存する。
【００３０】
２）回線番号の付与方法
図５を参照して、ここでは、主装置Ｃが自身の接続端末Ｃ−４及び外線Ｃ−５に回線番号を付与する場合について説明する。
【００３１】
電源投入後、主装置Ｃの制御部Ｃ−１は自身が接続している端末数及び外線数を認識しそれらの総数を得る。
【００３２】
主装置Ｃの制御部Ｃ−１は、認識した端末数及び外線数の総数と同数の記憶領域を記憶装置Ｃ−２に用意する。記憶領域は回線毎に端末番号と回線種別を持っている（図５）。
【００３３】
主装置Ｃがボタン電話システムのネットワーク１に接続されると、主装置Ｃは、上記１）の説明の通りに、ネットワーク１に接続されている他の主装置Ａ、ＢからのＩＰアドレスと端末及び外線の回線番号を受信する。
【００３４】
主装置Ｃの制御部Ｃ−１は各主装置からの回線番号を自身の記憶装置Ｃ−２に保存する。
【００３５】
主装置Ｃは、自身が接続している端末Ｃ−４及び外線Ｃ−５にそれらの端末番号を付与する。端末番号付与の手順は以下の通りである。
【００３６】
２−１）制御部Ｃ−１は、ランダムに計算した番号を、自身が接続している端末Ｃ−４及び外線Ｃ−５に端末番号として割り当てる。
【００３７】
２−２）制御部Ｃ−１は各主装置から取得した回線番号から端末番号を取り出し、上記２−１）で割り当てた端末番号と比較する。
【００３８】
２−３）比較の結果、端末番号の重複がなければ、それを端末番号と決定する。また、端末番号毎に回線種別（外線、端末）を付加し、自身の記憶装置Ｃ−２に回線番号として図５に示すような形態で保存する。
【００３９】
２−４）比較の結果、端末番号に重複がある場合にはその端末番号は保存せずに、２−１）に戻り、端末番号の再割り当て処理を行う。
【００４０】
２−５)回線番号の割り当て作業（２−１〜２−４）を繰り返し、回線番号の付与されていない端末及び外線が無くなったら終了する。
【００４１】
以上が本実施形態によるボタン電話主装置の増設方法である。
【００４２】
３）次に、図６〜図８を参照して、本発明によるボタン電話主装置の撤去方法の実施形態について説明する。以下では、図１に示されるように、主装置Ａ、主装置Ｂ、主装置Ｃがネットワーク１に接続された既設のボタン電話システムから主装置Ｂが撤去された場合について説明する。
【００４３】
主装置Ｂは、既に撤去されているが、主装置Ａ、Ｃの記憶装置Ａ−２、Ｃ−２には主装置Ｂの情報が登録されている。ここで、主装置Ｃの端末から主装置Ｂの端末へ発信動作が行われたものとする。この場合、主装置Ｂは既に撤去されているので、返信が帰ってこない（図６）。
【００４４】
次に、主装置Ｃは主装置Ｂに対して存在確認のメッセージを送信するが、返信が帰ってこない（図７）。
【００４５】
この場合、主装置Ｃの制御部Ｃ−１は、主装置Ｂからのレスポンスが所定時間無いことをトリガーにして、主装置Ｂは撤去されたものと判断し、主装置ＢのＩＰアドレス及び回線番号を自身の記憶装置Ｃ−２から削除する（図８）。以上の動作は、主装置Ａについても同様である。
【００４６】
［実施形態の効果］
以上説明してきたように、上記実施形態によれば、ボタン電話主装置を既設のネットワークに増設する場合、ボタン電話主装置をネットワークに接続するだけで良く、特に手動での増設設定作業をすることなしに増設することができる。また、ネットワークから既設のボタン電話主装置を撤去する場合、ボタン電話主装置をネットワークから撤去するだけで良く、特に、撤去されたボタン電話主装置に関する、手動での情報削除作業をすることなしに、削除することができる。
【産業上の利用可能性】
【００４７】
本発明は、ＶｏＩＰインターフェイスのようなインターフェイス、ＣＰＵによる制御部、記憶装置を具備し、ネットワークに接続可能なボタン電話主装置（ＰＢＸ（Private Branch eXchange）本体を含む）を備えるボタン電話システム全般に適用可能である。
【符号の説明】
【００４８】
１    ネットワーク
Ａ、Ｂ、Ｃ    主装置
Ａ−１    制御部
Ａ−２    記憶装置
Ａ−３    ＶｏＩＰインターフェイス
Ａ−４    端末
Ａ−５    外線
【図１】
2014230182.tif 000003
【図２】
2014230182.tif 000004
【図３】
2014230182.tif 000005
【図４】
2014230182.tif 000006
【図５】
2014230182.tif 000007
【図６】
2014230182.tif 000008
【図７】
2014230182.tif 000009
【図８】
2014230182.tif 000010